(57)【要約】機械式オイルポンプ停止時の変速機構への油圧供給と変速機構の冷却機能の両立を図りつつ、車載性の向上やコスト低減を図ることができる車両用油圧制御装置を提供すること。モータ/ジェネレータ（MG）によって作動される機械式オイルポンプ（O/P）の吐出油をライン圧制御弁（１０１）へ供給する第１油圧供給油路（１０２）と、サブモータ（S/M）によって作動される電動オイルポンプ（M/O/P）の吐出油をライン圧制御弁（１０１）へ供給する第２油圧供給油路（１０３）と、電動オイルポンプ（M/O/P）の吐出油を変速機構の冷却/潤滑系（Lub）へ供給する冷却系油路１０４と、電動オイルポンプ吐出油路（１０５）を、第２油圧供給油路（１０３）と冷却系油路（１０４）とのいずれか一方に接続する切替弁（１０６）と、を備える構成とした。
2016043071.tif 000002
【特許請求の範囲】
【請求項１】
走行駆動源によって作動される機械式オイルポンプと、
前記走行駆動源とは別の電動モータによって作動される電動オイルポンプと、
変速機構用油圧系へ供給するライン圧を調圧するライン圧制御弁と、
前記機械式オイルポンプから吐出された作動油を、前記ライン圧制御弁の入力ポートへ供給する第１油圧供給油路と、
前記電動オイルポンプから吐出された作動油を、前記ライン圧制御弁の入力ポートへ供給する第２油圧供給油路と、
前記電動オイルポンプから吐出された作動油を、変速機構の冷却/潤滑系へ供給する冷却系油路と、
前記電動オイルポンプの吐出油路に設けられ、該吐出油路を、前記第２油圧供給油路と前記冷却系油路とのいずれか一方に接続する切替弁と、
を備えたことを特徴とする車両用油圧制御装置。
【請求項２】
請求項１に記載された車両用油圧制御装置において、
前記機械式オイルポンプの吐出油量と、前記電動オイルポンプの吐出油量と、前記切替弁と、を制御する回路制御手段を備え、
前記回路制御手段は、前記切替弁によって、前記吐出油路の接続先を前記第２油圧供給油路から前記冷却系油路に切り替えるとき、前記機械式オイルポンプの吐出油量と前記電動オイルポンプの吐出油量との合計油量により、前記変速機構用油圧系での必要油量を確保すると共に、前記電動オイルポンプの吐出油量を、前記ライン圧制御弁で調圧可能な調圧可能油量以下に低下する
ことを特徴とする車両用油圧制御装置。
【請求項３】
請求項２に記載された車両用油圧制御装置において、
前記走行駆動源と駆動輪との間に、スリップ締結可能な摩擦締結要素を配置し、
前記回路制御手段は、前記吐出油路の接続先を切り替える際、前記合計油量により前記変速機構用油圧系での必要油量を確保している間、前記摩擦締結要素をスリップ締結する
ことを特徴とする車両用油圧制御装置。
【請求項４】
請求項１から請求項３のいずれか一項に記載された車両用油圧制御装置において、
前記機械式オイルポンプの吐出油量と、前記電動オイルポンプの吐出油量と、前記切替弁と、を制御する回路制御手段を備え、
前記回路制御手段は、前記切替弁によって、前記吐出油路の接続先を前記冷却系油路から前記第２油圧供給油路に切り替えるとき、前記電動オイルポンプの吐出油量を、前記ライン圧制御弁で調圧可能な調圧可能油量以下に低下する
ことを特徴とする車両用油圧制御装置。
【請求項５】
請求項１から請求項４のいずれか一項に記載された車両用油圧制御装置において、
前記機械式オイルポンプの吐出油量と、前記電動オイルポンプの吐出油量と、前記切替弁と、を制御する回路制御手段を備え、
前記回路制御手段は、前記電動オイルポンプから前記変速機構の冷却/潤滑系に油圧供給をさせる冷却要求が生じた場合、前記切替弁によって前記吐出油路を前記冷却系油路に接続する
ことを特徴とする車両用油圧制御装置。
【請求項６】
請求項５に記載された車両用油圧制御装置において、
前記回路制御手段は、前記電動オイルポンプから前記変速機構用油圧系へ油圧供給をさせる油圧供給要求が生じ、且つ、前記冷却要求が発生していない場合、前記切替弁によって前記吐出回路を前記第２油圧供給油路に接続する
ことを特徴とする車両用油圧制御装置。
【発明の詳細な説明】
【技術分野】
【０００１】
本発明は、走行駆動源によって作動される機械式オイルポンプと、電動モータによって作動される電動オイルポンプと、を備えた車両用油圧制御装置に関する発明である。
【背景技術】
【０００２】
従来、走行駆動源の停止に伴って、この走行駆動源によって作動される機械式オイルポンプが停止することで、変速機構用油圧系への油圧の供給が停止してしまうことを回避するため、走行駆動源とは別の電動モータによって作動される電動オイルポンプを備えた車両用油圧制御装置が知られている（例えば、特許文献１参照）。
【先行技術文献】
【特許文献】
【０００３】
【特許文献１】特開平10-324177号公報
【発明の概要】
【発明が解決しようとする課題】
【０００４】
ところで、従来の車両用油圧制御装置にあっては、電動オイルポンプから吐出された作動油は変速機構用油圧系へ供給される。つまり、この電動オイルポンプから吐出された作動油が、変速機構の冷却/潤滑系に直接流れることはない。
そのため、例えば登坂発進やアクセル全開発進等、変速機構のクラッチが発熱するようなシーンでクラッチ冷却を行うためには、機械式オイルポンプに代わって油圧供給を行う電動オイルポンプとは別に、変速機構の冷却/潤滑系へ油圧供給を直接行う第２の電動オイルポンプを設けることが考えられる。
しかしながら、この場合では、油圧供給用と冷却/潤滑用との二つの電動オイルポンプを設けることになり、電動オイルポンプの車載性能が低下したり、コストが増大したりする問題が発生する。【０００５】
本発明は、上記問題に着目してなされたもので、機械式オイルポンプ停止時の変速機構の油圧確保と変速機構の冷却機能の両立を図りつつ、車載性の向上やコスト低減を図ることができる車両用油圧制御装置を提供することを目的とする。
【課題を解決するための手段】
【０００６】
上記目的を達成するため、本発明の車両用油圧制御装置は、機械式オイルポンプと、電動オイルポンプと、ライン圧制御弁と、第１油圧供給油路と、第２油圧供給油路と、冷却系油路と、切替弁と、を備えている。
前記機械式オイルポンプは、走行駆動源によって作動されるオイルポンプである。
前記電動オイルポンプは、走行駆動源とは別の電動モータによって作動されるオイルポンプである。
前記ライン圧制御弁は、変速機構用油圧系へ供給するライン圧を調圧する。
前記第１油圧供給油路は、機械式オイルポンプから吐出された作動油を、ライン圧制御弁の入力ポートへ供給する。
前記第２油圧供給油路は、電動オイルポンプから吐出された作動油を、ライン圧制御弁の入力ポートへ供給する。
前記冷却系油路は、電動オイルポンプから吐出された作動油を、変速機構の冷却/潤滑系へ供給する。
前記切替弁は、電動オイルポンプの吐出油路に設けられ、この吐出油路を、第２油圧供給油路と冷却系油路とのいずれか一方に接続する。
【発明の効果】
【０００７】
よって、本発明の車両用油圧制御装置では、走行駆動源とは別の電動モータによって作動される電動オイルポンプの吐出油路を、切替弁を用いて、電動オイルポンプから吐出された作動油をライン圧制御弁の入力ポートへ供給する第２油圧供給油路と、電動オイルポンプから吐出された作動油を変速機構の冷却/潤滑系へ供給する冷却系油路と、のいずれか一方に接続することができる。
そのため、走行駆動源の停止に伴って機械式オイルポンプが停止したことで、変速機構用油圧系への油圧供給要求が発生したときには、切替弁によって電動オイルポンプの吐出油路を第２油圧供給油路に接続する。これにより、電動オイルポンプから吐出された作動油が、ライン圧制御弁によってライン圧に調圧された上で変速機構用油圧系に供給され、変速機構用油圧系の必要油圧を確保することができる。
一方、変速機構の冷却要求が発生したときには、切替弁によって電動オイルポンプの吐出油路を冷却系油路に接続する。これにより、電動オイルポンプから吐出された作動油が変速機構の冷却/潤滑系に直接供給され、この変速機構の冷却/潤滑系を流れる作動油の流量（油量）を増加させ、変速機構の冷却を速やかに行うことができる。
すなわち、この機械式オイルポンプ停止時の変速機構の油圧確保と変速機構の冷却機能を、一つの電動オイルポンプと切替弁によって達成することができる。この結果、機械式オイルポンプ停止時の変速機構の油圧確保と変速機構の冷却機能の両立を図りつつ、車載性の向上やコスト低減を図ることができる。
【図面の簡単な説明】
【０００８】
【図１】実施例１の油圧制御装置が適用されたハイブリッド車両を示す全体システム図である。
【図２】実施例１のハイブリッド車両が有する油圧制御回路を示す油圧回路図である。
【図３】実施例１にて実行される切替弁の油圧供給→冷却/潤滑切り替え処理の流れを示すフローチャートである。
【図４Ａ】ライン圧制御弁の構成を示す説明図である。
【図４Ｂ】ライン圧制御弁への供給油量変化速度に対する、目標ライン圧と実ライン圧との乖離量を示すマップである。
【図５】実施例１にて実行される切替弁の冷却/潤滑→油圧供給切り替え処理の流れを示すフローチャートである。
【図６Ａ】切替弁が油圧供給側に切り替えられているときの切替弁の動作と、作動油の流れを示す説明図である。
【図６Ｂ】切替弁が冷却側に切り替えられているときの切替弁の動作と、作動油の流れを示す説明図である。
【図７Ａ】実施例１の油圧制御装置において、切替弁を油圧供給側から冷却側に切り替える際のアクセル開度・車速・CL2温度（第２クラッチ温度）・冷却フラグ・油圧供給フラグの各特性を示すタイムチャートである。
【図７Ｂ】実施例１の油圧制御装置において、切替弁を油圧供給側から冷却側に切り替える際の機械式オイルポンプ回転数・変速機構用油圧系供給油量・電動オイルポンプ吐出油量・機械式オイルポンプ吐出油量・切替弁状態の各特性を示すタイムチャートである。
【図８Ａ】実施例１の油圧制御装置において、切替弁を冷却側から油圧供給側に切り替える際のアクセル開度・車速・CL2温度（第２クラッチ温度）・冷却フラグ・油圧供給フラグの各特性を示すタイムチャートである。
【図８Ｂ】実施例１の油圧制御装置において、切替弁を冷却側から油圧供給側に切り替える際の機械式オイルポンプ回転数・変速機構用油圧系供給油量・電動オイルポンプ吐出油量・機械式オイルポンプ吐出油量・切替弁状態の各特性を示すタイムチャートである。
【発明を実施するための形態】
【０００９】
以下、本発明の車両用油圧制御装置を実施するための形態を、図面に示す実施例１に基づいて説明する。
【００１０】
（実施例１）
まず、実施例１の車両用油圧制御装置の構成を、「ハイブリッド車両の全体システム構成」、「油圧制御回路の詳細構成」、「油圧供給→冷却/潤滑切り替え処理構成」、「冷却/潤滑→油圧供給切り替え処理構成」に分けて説明する。
【００１１】
［ハイブリッド車両の全体システム構成］
図１は、実施例１の制御装置が適用されたハイブリッド車両（車両の一例）を示す全体システム図である。以下、図１に基づいて、実施例１のハイブリッド車両の全体システム構成を説明する。
【００１２】
実施例１の車両用油圧制御装置は、図１に示すハイブリッド車両に適用されている。このハイブリッド車両の駆動系は、エンジンEngと、第１クラッチCL1と、モータ/ジェネレータMGと、第２クラッチCL2と、無段変速機CVTと、ファイナルギヤFGと、左駆動輪LTと、右駆動輪RTと、を備えている。
【００１３】
前記エンジンEngは、希薄燃焼可能な内燃機関であり、スロットルアクチュエータによる吸入空気量の制御と、インジェクタによる燃料噴射量の制御と、点火プラグによる点火時期の制御とにより、エンジントルクが指令値と一致するように制御される。
【００１４】
前記第１クラッチCL1は、エンジンEngとモータ/ジェネレータMGとの間の位置に介装された摩擦締結要素である。この第１クラッチCL1は、作動油の油圧によって動作する油圧アクチュエータで操作され、例えば、ダイアフラムスプリングによる付勢力によって、油圧がかかっていないときに解放状態になる（ノーマルオープン）乾式クラッチが用いられる。
この第１クラッチCL1は、油圧アクチュエータにかかる油圧の大きさによって、エンジンEngとモータ/ジェネレータMGとの間を、完全締結／スリップ締結／解放のいずれかの状態に制御する。この第１クラッチCL1は、完全締結状態のとき、モータトルク及びエンジントルクを第２クラッチCL2へと伝達し、解放状態のとき、モータトルクのみを第２クラッチCL2へと伝達する。
なお、第１クラッチCL1の完全締結／スリップ締結／解放の制御は、油圧アクチュエータに対するストローク制御にて行われる。
【００１５】
前記モータ/ジェネレータMGは、走行駆動源になる三相交流の永久磁石型同期モータである。このモータ/ジェネレータMGは、発進時や走行時に、駆動トルク制御や回転数制御を行う。また、このモータ/ジェネレータMGは、制動時や減速時に、回生ブレーキ制御を行い、車両運動エネルギーをバッテリBATへ回収する。
【００１６】
前記第２クラッチCL2は、モータ/ジェネレータMGと左右駆動輪LT,RTとの間に介装された摩擦締結要素である。この第２クラッチCL2は、ここでは作動油の油圧（第２クラッチ油圧）によって動作する湿式の多板摩擦クラッチから構成され、第２クラッチ油圧の大きさによって完全締結／スリップ締結／解放が制御される。
なお、実施例１の第２クラッチCL2は、遊星ギアによる無段変速機CVTの前後進切替機構に設けられた前進クラッチFCと後退ブレーキRBを流用している。つまり、前進走行時には、前進クラッチFCが第２クラッチCL2とされ、後退走行時には、後退ブレーキRBが第２クラッチCL2とされる。
【００１７】
前記無段変速機CVTは、プライマリプーリPriと、セカンダリプーリSecと、このプライマリプーリPriとセカンダリプーリSecの間に掛け渡されたプーリベルトVと、を有するベルト式無段変速機である。プライマリプーリPriとセカンダリプーリSecは、それぞれ油圧が供給されることでプーリ幅を変更し、プーリベルトVを挟持する面の径を変更して変速比（プーリ比）を自在に制御する。
【００１８】
さらに、機械式オイルポンプO/Pの入力ギアが、モータ/ジェネレータMGのモータ出力軸MGoutに、チェーンCHを介して接続されている。この機械式オイルポンプO/Pは、モータ/ジェネレータMGの回転駆動力によって作動するオイルポンプであり、例えばギアポンプやベーンポンプ等が用いられる。また、この機械式オイルポンプO/Pは、モータ/ジェネレータMGの回転方向に拘らずオイル吐出が可能となっている。さらに、ここでは、オイルポンプとして、サブモータS/Mの回転駆動力によって作動する電動オイルポンプM/O/Pが設けられている。サブモータS/Mは、モータ/ジェネレータMGとは別に設けられた電動モータである。
【００１９】
そして、この機械式オイルポンプO/Pと電動オイルポンプM/O/Pは、第１,第２クラッチCL1,CL2及び無段変速機CVTへ供給する作動油圧（制御圧）を作り出す油圧供給源OILとなっている。この油圧供給源OILでは、機械式オイルポンプO/Pの吐出油量が十分であるとき、サブモータS/Mを停止して電動オイルポンプM/O/Pを停止させる。また、機械式オイルポンプO/Pの吐出油量が低下したとき、サブモータS/Mを駆動して電動オイルポンプM/O/Pを作動させ、この電動オイルポンプM/O/Pからも作動油を吐出させる。
なお、モータ回転数制御ができる三相交流の永久磁石型同期モータが、サブモータS/Mとして用いられる。
【００２０】
そして、このハイブリッド車両は、第１クラッチCL1とモータ/ジェネレータMGと第２クラッチCL2により１モータ・２クラッチのハイブリッド駆動システムが構成され、このシステムによる主な駆動態様として「EVモード」と「HEVモード」を有する。
前記「EVモード」は、第１クラッチCL1を解放し、第２クラッチCL2を締結してモータ/ジェネレータMGのみを駆動源に有する電気自動車モードである。
前記「HEVモード」は、第１,第２クラッチCL1,CL2を締結してエンジンEngとモータ/ジェネレータMGを駆動源に有するハイブリッド車モードである。
【００２１】
実施例１のハイブリッド車両の制御系は、図１に示すように、インバータINVと、バッテリBATと、統合コントローラ１０と、変速機コントローラ１１と、クラッチコントローラ１２と、エンジンコントローラ１３と、モータコントローラ１４と、バッテリコントローラ１５と、を備えている。
【００２２】
前記インバータINVは、バッテリBATから供給される直流電流を、モータ/ジェネレータMGに供給する三相交流へと変換し、モータ/ジェネレータMGの駆動電流を生成する。また、生成する駆動電流の位相を逆転することでモータ/ジェネレータMGの出力回転を反転する。さらに、モータ/ジェネレータMGの回生時には、三相交流電流を直流に変換する。
【００２３】
前記バッテリBATは、充放電可能な二次電池であり、モータ/ジェネレータMGへの電力供給と、モータ/ジェネレータMGが回生した電力の充電を行う。
【００２４】
前記統合コントローラ１０は、バッテリ状態（ここでは、バッテリコントローラ１５から入力）、アクセル開度（ここでは、アクセル開度センサ２１により検出）、及び車速（ここでは、変速機出力回転数に同期した値、変速機出力回転数センサ２２により検出）から目標駆動トルクを演算する。そして、その結果に基づき、各アクチュエータ（モータ/ジェネレータMG、エンジンEng、第１クラッチCL1、第２クラッチCL2、無段変速機CVT）に対する指令値を演算し、各コントローラ１１〜１５へと送信する。
また、この統合コントローラ１０は、機械式オイルポンプO/Pの吐出油量と、電動オイルポンプM/O/Pの吐出油量と、ライン圧制御弁１０１と、後述する切替弁１０６の制御を行う回路制御手段である。すなわち、この統合コントローラ１０では、サブモータS/Mを駆動して電動オイルポンプM/O/Pを作動させる際、機械式オイルポンプO/Pの吐出油量（モータ回転数センサ２３の検出値から演算）に応じて、電動オイルポンプM/O/Pの回転数制御を行う。また、第２クラッチCL2の温度（クラッチ温度センサ２４により検出）や、機械式オイルポンプO/Pの吐出油量に応じて、切替弁１０６の切替制御を行う。
【００２５】
前記変速機コントローラ１１は、統合コントローラ１０からの変速指令を達成するように変速制御を行なう。この変速制御は、油圧制御回路１００を介して供給されたライン圧を元圧として、無段変速機CVTのプライマリプーリPriに供給する油圧と、セカンダリプーリSecに供給する油圧をそれぞれ制御することで行われる。
そして、ライン圧からプライマリプーリPriに供給する油圧と、セカンダリプーリSecに供給する油圧を作り出した際に生じた余剰圧は、第１クラッチCL1や第２クラッチCL2の冷却や潤滑に回される。
【００２６】
前記クラッチコントローラ１２は、第２クラッチ入力回転数（モータ回転数センサ２３により検出）、第２クラッチ出力回転数（第２クラッチ出力回転数センサ２５により検出）、クラッチ油温（作動油温センサ２６により検出）を入力する。また、このクラッチコントローラ１２は、統合コントローラ１０からの第１クラッチ制御指令及び第２クラッチ制御指令を達成するように、第１クラッチ制御、第２クラッチ制御をそれぞれ行う。この第１クラッチ制御は、油圧制御回路１００を介して供給されたライン圧を元圧として、第１クラッチCL1に供給される油圧を制御することで行われる。また、第２クラッチ制御は、油圧制御回路１００を介して供給されたライン圧を元圧として、第２クラッチCL2に供給される油圧を制御することで行われる。
そして、ライン圧から第１クラッチCL1に供給される油圧と、第２クラッチCL2に供給される油圧を作り出した際に生じた余剰圧は、第１クラッチCL1や第２クラッチCL2の冷却や潤滑に回される。
【００２７】
なお、無段変速機CVTのプライマリプーリPri、セカンダリプーリSec、第２クラッチCL2に対し、ライン圧PLを元圧とした制御油圧を供給する回路を、ここでは「変速機構用油圧系Sup」という。また、第２クラッチCL2の冷却や潤滑を行う回路を、ここでは「変速機構の冷却/潤滑系Lub」という。
【００２８】
前記エンジンコントローラ１３は、エンジン回転数（エンジン回転数センサ２７により検出）を入力すると共に、統合コントローラ１０からの目標エンジントルクに対応したエンジントルク指令値を達成するようにエンジントルク制御を行なう。
【００２９】
前記モータコントローラ１４は、統合コントローラ１０からの目標モータトルクに対応したモータトルク指令値やモータ回転数指令値を達成するようにモータ/ジェネレータMGの制御を行なう。
【００３０】
前記バッテリコントローラ１５は、バッテリBATの充電状態を管理し、その情報を統合コントローラ１０へと送信する。なお、バッテリBATの充電状態は、バッテリ電圧センサ１５ａが検出する電源電圧と、バッテリ温度センサ１５ｂが検出するバッテリ温度とに基づいて演算している。
【００３１】
［油圧制御回路の詳細構成］
図２は、実施例１のハイブリッド車両が有する油圧制御回路を示す油圧回路図である。以下、図２に基づいて、実施例１の油圧制御回路の詳細構成を説明する。
【００３２】
前記油圧制御回路１００は、機械式オイルポンプO/Pと電動オイルポンプM/O/Pからなる油圧供給源OILの吐出圧をライン圧PLに調圧し、変速機構用油圧系Supに供給する。また、この油圧制御回路１００では、変速機構用油圧系Supに作動油を供給した際に生じた余剰圧を、変速機構の冷却/潤滑系Lubに供給する。さらに、この油圧制御回路１００では、切替弁１０６を切り替えることで、電動オイルポンプM/O/Pから吐出された作動油を変速機構の冷却/潤滑系Lubに直接供給する。
すなわち、実施例１の油圧制御回路１００は、図２に示すように、機械式オイルポンプO/Pと、電動オイルポンプM/O/Pと、ライン圧制御弁１０１と、第１油圧供給油路１０２と、第２油圧供給油路１０３と、冷却系油路１０４と、電動オイルポンプ吐出油路１０５と、切替弁１０６と、を有している。
【００３３】
前記機械式オイルポンプO/Pは、吐出ポート１１０ａに第１油圧供給油路１０２が接続され、吸込ポート１１０ｂに吸込回路１０８が接続されている。吸込回路１０８の先端は、ストレーナ１０７に差し込まれている。そして、この機械式オイルポンプO/Pは、モータ/ジェネレータMGが回転駆動することで作動し、吸込回路１０８を介してストレーナ１０７に貯留した作動油を吸い込み、第１油圧供給油路１０２へと作動油を吐出する。このときの吐出圧は、モータ/ジェネレータMGの回転数に依存する。
【００３４】
前記電動オイルポンプM/O/Pは、吐出ポート１１１ａに電動オイルポンプ吐出油路１０５が接続され、吸込ポート１１１ｂに吸込回路１０８が接続されている。吸込回路１０８の先端は、ストレーナ１０７に差し込まれている。そして、この電動オイルポンプM/O/Pは、サブモータS/Mが回転駆動することで作動し、吸込回路１０８を介してストレーナ１０７に貯留した作動油を吸い込み、電動オイルポンプ吐出油路１０５へと作動油を吐出する。このときの吐出圧は、サブモータS/Mの回転数に依存する。
【００３５】
前記ライン圧制御弁１０１は、油圧供給源OILの吐出圧（機械式オイルポンプO/Pの吐出圧及び／又は電動オイルポンプM/O/Pの吐出圧）を元圧にして、変速機構用油圧系Supへ供給するライン圧PLを調圧する圧力調整弁である。
すなわち、このライン圧制御弁１０１は、入力ポート１０１ａに、第１油圧供給油路１０２及び第２油圧供給油路１０３が接続され、出力ポート１０１ｂに、変速機構用油圧系Supに繋がるライン圧回路１０１ｃが接続されている。そして、このライン圧制御弁１０１では、統合コントローラ１０からの指示値によってスプールを移動させ、第１油圧供給油路１０２及び／又は第２油圧供給油路１０３から供給される作動油を図示しないドレン回路に逃がすことで、ライン圧PLを調圧する。
なお、ライン圧回路１０１ｃには、圧力調整弁１０１ｄが設けられ、ライン圧PLから変速機構用油圧系Supに必要な油圧を差し引いた余剰圧を、変速機構の冷却/潤滑系Lubに逃がすようになっている。
【００３６】
前記第１油圧供給油路１０２は、一端が機械式オイルポンプO/Pの吐出ポート１１０ａに接続され、他端がライン圧制御弁１０１の入力ポート１０１ａに接続されている。この第１油圧供給油路１０２は、機械式オイルポンプO/Pから吐出された作動油を、ライン圧制御弁１０１の入力ポート１０１ａへ供給する。この第１油圧供給油路１０２の中間部には、第１逆止弁１０２ａが設けられている。第１逆止弁１０２ａは、ライン圧制御弁１０１側から機械式オイルポンプO/P側へ作動油が流れることを防止する弁である。
【００３７】
前記第２油圧供給油路１０３は、一端が切替弁１０６の油圧供給側ポート１０６ａに接続され、他端がライン圧制御弁１０１の入力ポート１０１ａに接続されている。この第２油圧供給油路１０３は、電動オイルポンプM/O/Pから吐出された作動油を、ライン圧制御弁１０１の入力ポート１０１ａへ供給する。この第２油圧供給油路１０３の中間部には、第２逆止弁１０３ａが設けられている。第２逆止弁１０３ａは、ライン圧制御弁１０１側から電動オイルポンプM/O/P側へ作動油が流れることを防止する弁である。
【００３８】
前記冷却系油路１０４は、一端が切替弁１０６の冷却側ポート１０６ｂに接続され、他端が変速機構の冷却/潤滑系Lubに繋がっている。この冷却系油路１０４は、電動オイルポンプM/O/Pから吐出された作動油を、変速機構の冷却/潤滑系Lubへ供給する。
なお、変速機構の冷却/潤滑系Lubにて使用された作動油は、ドレン回路１０９を介してストレーナ１０７に回収される。
【００３９】
前記電動オイルポンプ吐出油路１０５は、一端が電動オイルポンプM/O/Pの吐出ポート１１０ａに接続され、他端が切替弁１０６の入力ポート１０６ｃに接続されている。この電動オイルポンプ吐出油路１０５は、電動オイルポンプM/O/Pから吐出された作動油を、切替弁１０６を介して第２油圧供給油路１０３或いは冷却系油路１０４へ供給する。
この電動オイルポンプ吐出油路１０５には、電動オイルポンプM/O/Pの吐出圧を検出する圧力センサ２８と、圧力リーク弁１０５ａが設けられている。そして、圧力センサ２８によって監視されている電動オイルポンプM/O/Pの吐出圧が所定の上限圧に達したら、圧力リーク弁１０５ａが開き、電動オイルポンプ吐出油路１０５内の圧力を逃がすようになっている。
【００４０】
前記切替弁１０６は、電動オイルポンプ吐出油路１０５に設けられ、統合コントローラ１０からの切替指令に基づいて、電動オイルポンプ吐出油路１０５を、第２油圧供給油路１０３と冷却系油路１０４とのいずれか一方に接続する。
すなわち、この切替弁１０６は、オン・オフソレノイドによって入力ポート１０６ｃの連通先が切り替わる切替バルブであり、切替弁１０６の入力ポート１０６ｃを油圧供給側ポート１０６ａに連通させたとき、電動オイルポンプ吐出油路１０５が第２油圧供給油路１０３に接続される。また、切替弁１０６の入力ポート１０６ｃを冷却側ポート１０６ｂに連通させたとき、電動オイルポンプ吐出油路１０５が冷却系油路１０４に接続される。
【００４１】
なお、前記変速機構用油圧系Supは、ライン圧回路１０１ｃに設けられた変速機用調圧弁１１２ａと、ライン圧回路１０１ｃに設けられた第２クラッチ用調圧弁１１２ｂと、を有している。そして、変速機用調圧弁１１２ａにより、ライン圧PLを元圧にしてプライマリプーリPriやセカンダリプーリSecに供給される油圧が調圧された上、プライマリプーリPriやセカンダリプーリSecに油圧供給がなされる。また、第２クラッチ用調圧弁１１２ｂにより、ライン圧PLを元圧にして前進クラッチFCや後退ブレーキRBに供給される油圧が調圧された上、前進クラッチFCや後退ブレーキRBに油圧供給がなされる。
【００４２】
［油圧供給→冷却/潤滑切り替え処理構成］
図３は、実施例１にて実行される切替弁の油圧供給→冷却/潤滑切り替え処理の流れを示すフローチャートである。以下、図３に基づいて、実施例１の油圧供給→冷却/潤滑切り替え処理構成を説明する。
【００４３】
ステップＳ１では、電動オイルポンプM/O/Pが作動すると共に、切替弁１０６によって電動オイルポンプ吐出油路１０５が第２油圧供給油路１０３に接続されているか否か、つまり、電動オイルポンプM/O/Pから変速機構用油圧系Supに油圧供給が行われているか否かを判断する。YES（電動オイルポンプON,切替弁＝油圧供給側）の場合にはステップＳ２へ進む。NO（電動オイルポンプNO又は切替弁＝冷却側）の場合には、電動オイルポンプM/O/Pから変速機構用油圧系Supに油圧供給が行われていないため、油圧供給→冷却/潤滑切り替え処理を行う必要はないとしてエンドへ進む。
【００４４】
ステップＳ２では、ステップＳ１での電動オイルポンプON,切替弁＝油圧供給側との判断に続き、第２クラッチCL2の温度が所定の冷却閾値を上回っているか否かを判断する。YES（CL2温度≧冷却閾値）の場合にはステップＳ３へ進む。NO（CL2温度＜冷却閾値）の場合には、第２クラッチCL2の冷却が不要であり、電動オイルポンプM/O/Pから変速機構用油圧系Supへの油圧供給を継続可能であるとして、ステップＳ１へ戻る。
ここで、「冷却閾値」は、第２クラッチCL2が破損や不具合を生じない上限温度である。第２クラッチCL2の温度がこの冷却閾値を上回れば、第２クラッチCL2に破損等が生じる可能性があるため、変速機構の冷却/潤滑系Lubに流れる作動油の流量を増加させる「冷却要求」が発生する。また、第２クラッチCL2の温度は、クラッチ温度センサ２４により検出する。
【００４５】
ステップＳ３では、ステップＳ２でのCL2温度≧冷却閾値との判断に続き、「冷却要求」が生じたことで、変速機構の冷却/潤滑系Lubに流れる作動油の流量増加が必要である、つまり切替弁１０６を冷却側に切り替えて、変速機構の冷却/潤滑系Lubへの油圧供給を行う指令が出力されたとして、第２クラッチCL2をスリップ締結すると共に、機械式オイルポンプO/Pから吐出される作動油の流量（機械式オイルポンプO/Pの吐出油量）を上昇させ、ステップＳ４へ進む。
ここで、第２クラッチCL2をスリップ締結させるには、変速機用調圧弁１１２ａにより第２クラッチCL2（前進クラッチFC又は後退ブレーキRB）に供給されている油圧を低下させる。また、「機械式オイルポンプO/Pの吐出油量を上昇させる」とは、モータ/ジェネレータMGの回転数を、アクセル開度と車速から演算される要求駆動力に応じて決まる回転数以上に上昇させて、機械式オイルポンプO/Pの回転数を上げることである。つまり、このステップＳ３では、機械式オイルポンプO/Pから吐出される作動油の流量を、要求駆動力に応じて決まる上昇速度以上の速さで上昇させる。なお、第２クラッチCL2がスリップ締結していることで、モータ/ジェネレータMGの回転数を要求駆動力に応じて決まる回転数以上に上げても、左右駆動輪LT,RTに影響は出ない。
【００４６】
ステップＳ４では、ステップＳ３でのCL2＝スリップ締結,機械式オイルポンプO/P＝油量上昇に続き、機械式オイルポンプO/Pの吐出油量と、電動オイルポンプM/O/Pの吐出油量の合計油量が、変速機構用油圧系Supでの必要油量を確保できる油量（＝切替可能油量）に達したか否かを判断する。YES（合計油量≧切替可能油量）の場合にはステップＳ５へ進む。NO（合計油量＜切替可能油量）の場合には、変速機構用油圧系Supにおける必要油量が確保されないとして、ステップＳ３へ戻る。
ここで、「切替可能油量」とは、ライン圧PLを担保しつつ、無駄な油量による電力消費悪化を防止できる油量である。
【００４７】
ステップＳ５では、ステップＳ４での合計油量≧切替可能油量との判断に続き、合計油量により切替可能油量を確保したとして、電動オイルポンプM/O/Pから吐出される作動油の流量（電動オイルポンプM/O/Pの吐出油量）を低下させ、ステップＳ６へ進む。
ここで、電動オイルポンプM/O/Pの吐出油量を低下させるには、サブモータS/Mの回転数を低下させて、電動オイルポンプM/O/Pの回転数を下げる。このとき、要求駆動力に応じて決まる低下速度以上の速さであって、機械式オイルポンプO/Pの吐出油量と、電動オイルポンプM/O/Pの吐出油量の合計油量が、ライン圧PLを確保するために必要な油量を下回らない速度で電動オイルポンプM/O/Pの吐出油量を低下する。
【００４８】
ステップＳ６では、ステップＳ５での電動オイルポンプM/O/P＝油量低下に続き、電動オイルポンプM/O/Pの吐出油量が所定の第１閾値以下であるか否かを判断する。YES（電動オイルポンプ吐出油量≦第１閾値）の場合にはステップＳ７へ進む。NO（電動オイルポンプ吐出油量＞第１閾値）の場合にはステップＳ４へ戻る。
ここで、「第１閾値」は、ライン圧制御弁１０１で調圧可能な「調圧可能油量」である。つまり、この「第１閾値」によって、切替弁１０６を油圧供給側から冷却側へ切り替えた直後のライン圧制御弁１０１に供給される作動油の油量変化速度が決まり、切替弁１０６を切り替えたことに伴って生じる変速機構用油圧系Supに供給される油圧（ライン圧PL）のアンダーシュート量（油圧低下量）が決まる。
【００４９】
すなわち、ライン圧制御弁１０１は、図４Ａに示すように、入力ポート１０１ａと、出力ポート１０１ｂと、ドレンポート１０１ｅと、を有している。そして、入力ポート１０１ａに油圧供給源OILの吐出圧が供給され、スプリング１０１ｆと、ライン圧回路１０１ｃからのフィードバック圧を用いて、油圧供給源OILの吐出圧を減圧することでライン圧PLを調圧する。このとき、ライン圧回路１０１ｃから分岐するフィードバック回路１０１ｇの途中位置には、フィードバック圧の変化を緩和するオリフィス１０１ｈが設けられている。そのため、ライン圧制御弁１０１に供給される作動油の油量、つまり油圧供給源OILの吐出油量が急変すると、オリフィス１０１ｈによるフィードバック圧の変動緩和作用により、フィードバック圧とライン圧回路１０１ｃの実圧との間に差が生じ、ライン圧制御弁１０１による制御が適正にできない場合がある。
つまり、図４Ｂに示すように、ライン圧制御弁１０１に供給される作動油の油量変化速度（供給油量変化速度）が所定値αを超えると、目標ライン圧と実ライン圧との差に乖離が発生する。しかも、この乖離量は供給油量変化速度が増すほど大きくなる。そして、ライン圧制御弁１０１に供給される作動油の油量が急減する場合には、実ライン圧が目標ライン圧に対して急減してアンダーシュート量が大きくなり、プーリベルトVが滑って無段変速機CVTに破損が生じることが考えられる。
【００５０】
一方、切替弁１０６を油圧供給側から冷却側へ切り替えると、電動オイルポンプM/O/Pの吐出油が第２油圧供給油路１０３を流れなくなり、ライン圧制御弁１０１に供給される作動油の油量が低減する。ここで、切替弁１０６を油圧供給側から冷却側へ切り替える前に、電動オイルポンプM/O/Pの吐出油量を予め低下させておけば、切替弁１０６を切り替えたときのライン圧制御弁１０１に供給される作動油の油量変化を抑えることができる。つまり、上記「第１閾値（＝調圧可能油量）」は、この切替弁１０６を油圧供給側から冷却側へ切り替えた際に生じるライン圧制御弁１０１への供給油量変化速度を所定値α以下にし、ライン圧制御弁１０１での適正な調圧を可能にしてライン圧PLのアンダーシュートを抑え、無段変速機CVTのプーリベルトVの滑り破損を回避できる油圧にライン圧PLを維持する値となる。
【００５１】
ステップＳ７では、ステップＳ６での電動オイルポンプ吐出油量≦第１閾値との判断に続き、電動オイルポンプM/O/Pの吐出油量が、切替弁１０６を切り替えてもライン圧制御弁１０１での適正な調圧を可能にし、ライン圧PLのアンダーシュートを抑える値以下に低下したとして、切替弁１０６を油圧供給側から冷却側に切り替え制御して、電動オイルポンプ吐出油路１０５を冷却系油路１０４に接続し、ステップＳ８へ進む。これにより、電動オイルポンプM/O/Pから吐出された作動油は、変速機構の冷却/潤滑系Lubに供給される。
【００５２】
ステップＳ８では、ステップＳ７での切替弁＝冷却側との切替制御に続き、電動オイルポンプM/O/Pの吐出油量を上昇させ、ステップＳ９へ進む。
ここで、電動オイルポンプM/O/Pの吐出油量を上昇させるには、サブモータS/Mの回転数を上昇させ、電動オイルポンプM/O/Pの回転数を上げる。
【００５３】
ステップＳ９では、ステップＳ８での電動オイルポンプM/O/P＝油量上昇に続き、電動オイルポンプM/O/Pの吐出油量が変速機構の冷却/潤滑系Lubにおいて必要な油量（＝冷却必要油量）に達したか否かを判断する。YES（電動オイルポンプ吐出油量≧冷却必要油量）の場合には、電動オイルポンプ吐出油量によって第２クラッチCL2等の冷却に必要な油量を確保したとしてエンドへ進む。NO（電動オイルポンプ吐出油量＜冷却必要油量）の場合には、電動オイルポンプ吐出油量が第２クラッチCL2等の冷却に必要な油量に足りないとしてステップＳ８へ戻る。
【００５４】
［冷却/潤滑→油圧供給切り替え処理構成］
図５は、実施例１にて実行される切替弁の冷却/潤滑→油圧供給切り替え処理の流れを示すフローチャートである。以下、図５に基づいて、実施例１の冷却/潤滑→油圧供給切り替え処理構成を説明する。
【００５５】
ステップＳ11では、電動オイルポンプM/O/Pが作動すると共に、切替弁１０６によって電動オイルポンプ吐出油路１０５が冷却系油路１０４に接続されているか否か、つまり、電動オイルポンプM/O/Pから変速機構の冷却/潤滑系Lubに油圧供給が行われているか否かを判断する。YES（電動オイルポンプON,切替弁＝冷却側）の場合にはステップＳ12へ進む。NO（電動オイルポンプNO又は切替弁＝油圧供給側）の場合には、電動オイルポンプM/O/Pから変速機構の冷却/潤滑系Lubに油圧供給が行われていないため、冷却/潤滑→油圧供給切り替え処理を行う必要はないとしてエンドへ進む。
【００５６】
ステップＳ12では、ステップＳ11での電動オイルポンプON,切替弁＝冷却側との判断に続き、第２クラッチCL2の温度が所定の冷却閾値を下回っているか否かを判断する。YES（CL2温度＜冷却閾値）の場合には、第２クラッチCL2の冷却が必要ないとしてステップＳ13へ進む。NO（CL2温度≧冷却閾値）の場合には、第２クラッチCL2の冷却が必要であり、電動オイルポンプM/O/Pから変速機構の冷却/潤滑系Lubへの油圧供給を継続する必要があるとして、ステップＳ１へ戻る。
【００５７】
ステップＳ13では、ステップＳ12でのCL2温度＜冷却閾値との判断に続き、変速機構の冷却/潤滑系Lubに流れる作動油の流量を増加させる「冷却要求」が発生していないとして、電動オイルポンプM/O/Pから吐出される作動油の流量（電動オイルポンプM/O/Pの吐出油量）を低下させ、ステップＳ14へ進む。
【００５８】
ステップＳ14では、ステップＳ13での電動オイルポンプM/O/P＝油量低下に続き、電動オイルポンプM/O/Pから変速機構用油圧系Supに対して油圧供給を行わせる油圧供給要求が発生したか否かを判断する。YES（油圧供給要求あり）の場合にはステップＳ15へ進む。NO（油圧供給要求なし）の場合にはステップＳ19へ進む。
ここで、油圧供給要求の有無は、機械式オイルポンプO/P吐出される作動油の流量が、この機械式オイルポンプ吐出油量だけでは変速機構用油圧系Supでの必要油量を確保できないと判断される油量（＝油圧供給要求油量）に達しているか否かに基づいて判断する。機械式オイルポンプO/Pの吐出油量＞油圧供給要求油量であれば、油圧供給要求は発生せず、「油圧供給要求なし」になる。機械式オイルポンプO/Pの吐出油量≦油圧供給要求油量であれば、油圧供給要求が発生して「油圧供給要求あり」になる。
【００５９】
ステップＳ15では、ステップＳ14での油圧供給要求ありとの判断に続き、電動オイルポンプM/O/Pの吐出油量が所定の第２閾値以下であるか否かを判断する。YES（電動オイルポンプ吐出油量≦第２閾値）の場合にはステップＳ16へ進む。NO（電動オイルポンプ吐出油量＞第２閾値）の場合にはステップＳ13へ戻る。
ここで、「第２閾値」は、ライン圧制御弁１０１で調圧可能な「調圧可能油量」である。つまり、この「第２閾値」によって、切替弁１０６を冷却側から油圧供給側へ切り替えた直後のライン圧制御弁１０１に供給される作動油の油量変化速度が決まり、切替弁１０６を切り替えたことに伴って生じる変速機構用油圧系Supに供給される油圧（ライン圧PL）のオーバーシュート量（油圧上昇量）が決まる。
【００６０】
すなわち、切替弁１０６を冷却側から油圧供給側へ切り替えると、電動オイルポンプM/O/Pの吐出油が第２油圧供給油路１０３に流れ込み、ライン圧制御弁１０１に供給される作動油の油量が上昇する。ここで、切替弁１０６を冷却側から油圧供給側へ切り替える前に、電動オイルポンプM/O/Pの吐出油量を予め低下させておけば、切替弁１０６を切り替えたときのライン圧制御弁１０１に供給される作動油の油量変化を抑えることができる。つまり、上記「第２閾値（＝調圧可能油量）」は、この切替弁１０６を冷却側から油圧供給側へ切り替えた際に生じるライン圧制御弁１０１への供給油量変化を所定値α以下にし、ライン圧制御弁１０１での適正な調圧を可能にして、ライン圧PLのオーバーシュートを抑え、無段変速機CVTのショックを回避できる油圧にライン圧PLを維持する値となる。
【００６１】
ステップＳ16では、ステップＳ15での電動オイルポンプ吐出油量≦第２閾値との判断に続き、電動オイルポンプM/O/Pの吐出油量が、切替弁１０６を切り替えてもライン圧制御弁１０１での適正な調圧を可能にし、ライン圧PLのオーバーシュートを抑える値以下に低下したとして、切替弁１０６を冷却側から油圧供給側に切り替え制御して、電動オイルポンプ吐出油路１０５を第２油圧供給油路１０３に接続し、ステップＳ17へ進む。これにより、電動オイルポンプM/O/Pから吐出された作動油は、変速機構用油圧系Supに供給される。
【００６２】
ステップＳ17では、ステップＳ16での切替弁＝油圧供給側との切替制御に続き、電動オイルポンプM/O/Pの吐出油量を上昇させ、ステップＳ18へ進む。
【００６３】
ステップＳ18では、ステップＳ17での電動オイルポンプM/O/P＝油量上昇に続き、電動オイルポンプM/O/Pの吐出油量が変速機構用油圧系Supにおいて必要な油量（ライン圧PLを確保できる油量＝油圧供給必要油量）に達したか否かを判断する。YES（電動オイルポンプ吐出油量≧油圧供給必要油量）の場合には、電動オイルポンプ吐出油量によってライン圧PLを維持するために必要な油量を確保したとしてエンドへ進む。NO（電動オイルポンプ吐出油量＜油圧供給必要油量）の場合には、電動オイルポンプ吐出油量がライン圧PLを維持するために必要な油量に足りないとしてステップＳ17へ戻る。
【００６４】
ステップＳ19では、ステップＳ14での油圧供給要求なしとの判断に続き、電動オイルポンプM/O/Pが停止したか否かを判断する。YES（電動オイルポンプ＝停止）の場合にはエンドへ進む。NO（電動オイルポンプ≠停止）の場合にはステップＳ13へ戻る。
ここで、電動オイルポンプM/O/Pの停止は、サブモータS/Mの回転数が停止したと判断できる所定値以下になったことで判断する。
【００６５】
次に、実施例１の車両用油圧制御装置における作用を、「電動オイルポンプ流路切り替え作用」、「油圧供給→冷却/潤滑切り替え作用」、「冷却/潤滑→油圧供給切り替え作用」に分けて説明する。
【００６６】
［電動オイルポンプ流路切り替え作用］
図６Ａは、切替弁が油圧供給側に切り替えられているときの切替弁の動作と、作動油の流れを示す説明図であり、図６Ｂは、切替弁が冷却側に切り替えられているときの切替弁の動作と、作動油の流れを示す説明図である。以下、図６Ａ及び図６Ｂに基づいて、実施例１の電動オイルポンプ流路切り替え作用を説明する。
【００６７】
実施例１の油圧制御回路１００は、モータ/ジェネレータMGによって作動される機械式オイルポンプO/Pと、モータ/ジェネレータMGとは別のサブモータS/Mによって作動される電動オイルポンプM/O/Pと、を備えている。そして、電動オイルポンプM/O/Pの吐出ポート１１１ａに接続された電動オイルポンプ吐出油路１０５は、切替弁１０６によって、ライン圧制御弁１０１の入力ポート１０１ａに接続した第２油圧供給油路１０３と、変速機構の冷却/潤滑系Lubに接続した冷却系油路１０４と、のいずれか一方に接続される。
【００６８】
すなわち、図６Ａに示すように、切替弁１０６が、電動オイルポンプ吐出油路１０５を第２油圧供給油路１０３に接続するように切替制御されると、電動オイルポンプM/O/Pから吐出された作動油は、電動オイルポンプ吐出油路１０５→切替弁１０６→第２油圧供給油路１０３→ライン圧制御弁１０１→ライン圧回路１０１ｃを順に通って変速機構用油圧系Supに供給される。
これにより、機械式オイルポンプO/Pから供給される油圧が、変速機構用油圧系Supにおいて必要な油圧に足りないときには、電動オイルポンプM/O/Pから変速機構用油圧系Supへと作動油を供給することができる。このため、ライン圧PLの低下を防止して、変速機構用油圧系Supでの必要油圧を確保することができる。
【００６９】
これに対し、図６Ｂに示すように、切替弁１０６が、電動オイルポンプ吐出油路１０５を冷却系油路１０４に接続するように切替制御されると、電動オイルポンプM/O/Pから吐出された作動油は、電動オイルポンプ吐出油路１０５→切替弁１０６→冷却系油路１０４を順に通って変速機構の冷却/潤滑系Lubに供給される。
これにより、第２クラッチCL2が温度上昇し、速やかなクラッチ冷却が必要なときには、電動オイルポンプM/O/Pから変速機構の冷却/潤滑系Lubへと作動油を直接供給することができる。このため、変速機構の冷却/潤滑系Lubの冷却を速やかに行うことができる。
【００７０】
このように、油圧制御回路１００が切替弁１０６を有していることで、電動オイルポンプ吐出油路１０５の接続先を切り替えることができ、機械式オイルポンプO/P停止時の変速機構用油圧系Supへの油圧供給と、第２クラッチCL2の冷却機能を、一つの電動オイルポンプM/O/Pによって達成することができる。この結果、機械式オイルポンプO/P停止時の変速機構への油圧供給と変速機構の冷却機能の両立を図りつつ、車載性の向上やコスト低減を図ることができる。
【００７１】
［油圧供給→冷却/潤滑切り替え作用］
図７Ａは、実施例１の制御装置において、切替弁を油圧供給側から冷却側に切り替える際のアクセル開度・車速・CL2温度（第２クラッチ温度）・冷却フラグ・油圧供給フラグの各特性を示すタイムチャートである。図７Ｂは、実施例１の制御装置において、切替弁を油圧供給側から冷却側に切り替える際の機械式オイルポンプ回転数・変速機構用油圧系供給油量・電動オイルポンプ吐出油量・機械式オイルポンプ吐出油量・切替弁状態の各特性を示すタイムチャートである。以下、図７Ａ,図７Ｂに基づき、実施例１の油圧供給→冷却/潤滑切り替え作用を説明する。
【００７２】
図７Ａ,図７Ｂに示す時刻t０において、車両停止状態からアクセル踏込操作が行われる。このとき、時刻t０以前にモータ/ジェネレータMGからの動力伝達が行われていなかったので、第２クラッチ温度は冷却閾値未満である。そのため、電動オイルポンプM/O/Pから変速機構の冷却/潤滑系Lubへ直接油圧供給させる冷却要求は発生せず、冷却フラグがOFFになる。一方、モータ/ジェネレータMGの回転数が低いため、機械式オイルポンプO/Pの回転数は、変速機構用油圧系Supにおいて必要な油量（＝油圧供給必要油量）を確保できる値（＝油圧供給必要回転数）以下である。すなわち、機械式オイルポンプO/Pの吐出油量が、油圧供給必要油量に足りないので、電動オイルポンプM/O/Pから変速機構用油圧系Supへ油圧供給させる油圧供給要求が発生し、油圧供給フラグはONになる。
【００７３】
これにより、サブモータS/Mを駆動して電動オイルポンプM/O/Pを作動させると共に、切替弁１０６を油圧供給側に切替制御して、電動オイルポンプ吐出油路１０５を第２油圧供給油路１０３に接続する。このため、電動オイルポンプM/O/Pから吐出された作動油が第２油圧供給油路１０３に流れ、ライン圧制御弁１０１に供給されてライン圧PLが確保される。
【００７４】
その後、車速の上昇に応じてモータ/ジェネレータMGの回転数が上昇していくと、機械式オイルポンプO/Pの回転数も上がる。このため、機械式オイルポンプO/Pの吐出油量は、車速の上昇に対して比例的に上がっていく。
これに対し、電動オイルポンプM/O/Pの吐出油量は、機械式オイルポンプO/Pの吐出油量が増加するにしたがって低下させ、機械式オイルポンプO/Pの吐出油量と、電動オイルポンプM/O/Pの吐出油量の合計油量である変速機構用油圧系Supへの供給油量が、油圧供給必要油量を維持するように制御する。
【００７５】
そして、モータ/ジェネレータMGからの動力伝達を行うに伴って次第に第２クラッチCL2の温度が上昇し、時刻t１時点において、この第２クラッチ温度が冷却閾値に達したら、電動オイルポンプM/O/Pから変速機構の冷却/潤滑系Lubへ直接油圧供給させる冷却要求が発生し、冷却フラグがONになる。これにより、図３に示すフローチャートにおいてステップＳ１→ステップＳ２→ステップＳ３へと進み、第２クラッチCL2をスリップ締結すると共に、機械式オイルポンプO/Pから吐出される作動油の流量を、要求駆動力に応じて決まる上昇速度以上の速さで上昇させる。
そのため、機械式オイルポンプO/Pの吐出油量は急上昇する。これに対し、電動オイルポンプM/O/Pの吐出油量は、機械式オイルポンプ吐出油量が、要求駆動力に応じて決まる上昇速度で上昇していることを前提とした速度で低下させる。そのため、変速機構用油圧系Supへの供給油量は、油圧供給必要油量よりも増加する。
【００７６】
時刻t２時点において、機械式オイルポンプO/Pの吐出油量と、電動オイルポンプM/O/Pの吐出油量の合計油量である変速機構用油圧系Supへの供給油量が、切替可能油量に達したら、ステップＳ４→ステップＳ５へと進み、電動オイルポンプM/O/Pから吐出される作動油の流量を、要求駆動力に応じて決まる低下速度以上の速さであって、上記合計油量が、切替可能油量以下であって油圧供給必要油量を下回らない速度で低下させる。なお、ここでは合計油量が切り替え可能油量を維持する速さで、電動オイルポンプM/O/Pの吐出油量を低下させる。
【００７７】
その後、時刻t３時点において、機械式オイルポンプO/Pの回転数が油圧供給必要回転数に達したら、機械式オイルポンプO/Pの回転数の上昇を停止し、機械式オイルポンプO/Pの吐出油量を維持する。さらに、このタイミング（時刻t３時点）で、第２クラッチCL2を完全締結する。一方、電動オイルポンプM/O/Pの吐出油量の低下は継続する。
なお、この時刻t３時点において、機械式オイルポンプO/Pの回転数が油圧供給必要回転数に達したことで、電動オイルポンプM/O/Pから変速機構用油圧系Supへ油圧供給は不要として、油圧供給停止許可が発生して油圧供給フラグがOFFになる。しかしながら、時刻t１時点において、第２クラッチ温度が冷却閾値を上回ったことで冷却要求が発生したため、この時刻t１時点で、すでに油圧供給フラグのON/OFF状態、つまり油圧供給要求や油圧供給停止許可の有無に拘らず、切替弁１０６を冷却側に切り替える指令が出力されている。すなわち、変速機構用油圧計Supへの油圧供給よりも、変速機構の冷却/潤滑系Lubへの油圧供給の方が優先される。
【００７８】
時刻t４時点において、電動オイルポンプM/O/Pの吐出油量が第１閾値に達したら、ステップＳ６→ステップＳ７へと進み、切替弁１０６を冷却側に切替制御して、電動オイルポンプ吐出油路１０５を冷却系油路１０４に接続する。
これにより、電動オイルポンプM/O/Pから吐出された作動油は、冷却系油路１０４を介して変速機構の冷却/潤滑系Lubに直接供給され、この変速機構の冷却/潤滑系Lubに流れる潤滑油量を増加させ、第２クラッチCL2の冷却が速やかに行うことができる。
【００７９】
また、ライン圧制御弁１０１を介して変速機構用油圧系Supに供給される作動油の流量は、切替弁１０６が切り替わったことで、機械式オイルポンプO/Pの吐出油量と、電動オイルポンプM/O/Pの吐出油量の合計油量から、機械式オイルポンプO/Pの吐出油量のみになる。
このとき、切替弁１０６の切り替え前に、予め電動オイルポンプM/O/Pの吐出油量を第１閾値まで低下させているので、切替弁１０６の切り替えに伴ってライン圧制御弁１０１に供給される作動油が低下しても、このときの油量変化速度を所定値α以下に抑制することができる。そのため、ライン圧制御弁１０１におけるオリフィス１０１ｈのフィードバック遅れが発生せず、ライン圧制御弁１０１での適正な調圧を可能にすることができる。これにより、無段変速機CVTの破損につながるライン圧PLのアンダーシュートを防止することができる。
【００８０】
その後、ステップＳ８へと進んで電動オイルポンプM/O/Pの吐出油量を増加し、時刻t５時点において、電動オイルポンプ吐出油量が冷却必要油量に達したら、ステップＳ９→エンドへ進み、電動オイルポンプM/O/Pの吐出油量を冷却に必要な量に維持すると共に、油圧供給→冷却/潤滑切り替え処理を終了する。
【００８１】
このように、第２クラッチ温度が冷却閾値以上になったことで冷却要求が発生したときには、機械式オイルポンプO/Pの吐出油量と、電動オイルポンプM/O/Pの吐出油量の合計油量が切替可能油量に達すると共に、電動オイルポンプM/O/Pの吐出油量をライン圧制御弁１０１で調圧可能な調圧可能油量である第１閾値に至るまで低下させてから、切替弁１０６を冷却側に切り替える。
つまり、切替弁１０６によって、電動オイルポンプ吐出油路１０５の接続先を冷却系油路１０４に切り替える切替制御を行うときには、上記合計油量によって油圧供給必要油量を確保すると共に、電動オイルポンプ吐出油量を第１閾値以下になるまで低下させる。
【００８２】
これにより、切替弁１０６が油圧供給側に切り替わった際にライン圧制御弁１０１に供給されている作動油の流量が低減しても、このときのライン圧制御弁１０１への供給油量変化速度を、ライン圧制御弁１０１での調圧が可能な所定値α以下に抑制することができ、無段変速機CVTの破損につながるライン圧PLのアンダーシュートを防止することができる。
【００８３】
また、電動オイルポンプM/O/Pの吐出油量を低下させる一方、機械式オイルポンプO/Pの吐出油量を上昇させる際、機械式オイルポンプO/Pの吐出油量と、電動オイルポンプM/O/Pの吐出油量の合計油量が切替可能油量以下であって、油圧供給必要油量を下回らない油量となるように制御する。そのため、ライン圧PLを担保してプーリベルトVの滑りを防止すると共に、作動油が無駄に流れることによるサブモータS/Mの駆動過多を抑制し、電力消費悪化を防止することができる。
【００８４】
しかも、この実施例１では、切替弁１０６の冷却側への切り替えに伴って、電動オイルポンプM/O/Pの吐出油量を低下させる一方、機械式オイルポンプO/Pの吐出油量を上昇させることで、上記合計油量により油圧供給必要油量を確保している間、第２クラッチCL2をスリップ締結する。
すなわち、実施例１では、合計油量によって油圧供給必要油量を確保しつつ、電動オイルポンプ吐出油量を低下させるため、モータ/ジェネレータMGの回転数を要求駆動力に応じて決まる回転数以上に上昇させる必要がある。しかしこのとき、第２クラッチCL2をスリップ締結することで、左右駆動輪LT,RTへの影響は発生せず、ドライバーにショックや違和感を感じさせることはない。
【００８５】
そして、第２クラッチ温度が冷却閾値を上回れば電動オイルポンプM/O/Pから変速機構の冷却/潤滑系Lubへ直接油圧供給させる冷却要求が発生し、切替弁１０６を冷却側に切り替える指令が出力される。すなわち、切替弁１０６を冷却側に切り替える指令を出力する要件に、油圧供給要求や油圧供給停止許可の有無は関係ない。そのため、第２クラッチCL2温度が冷却閾値を上回ったら、強制的に切替弁１０６によって電動オイルポンプ吐出油路１０５が冷却系油路１０４に接続される。
これにより、変速機構用油圧系Supへの油圧供給よりも、変速機構の冷却/潤滑系Lubへ油圧供給の方を優先することができ、第２クラッチCL2が高温になって破損することを防止できる。
【００８６】
［冷却/潤滑→油圧供給切り替え作用］
図８Ａは、実施例１の制御装置において、切替弁を冷却側から油圧供給側に切り替える際のアクセル開度・車速・CL2温度（第２クラッチ温度）・冷却フラグ・油圧供給フラグの各特性を示すタイムチャートである。図８Ｂは、実施例１の制御装置において、切替弁を冷却側から油圧供給側に切り替える際の機械式オイルポンプ回転数・変速機構用油圧系供給油量・電動オイルポンプ吐出油量・機械式オイルポンプ吐出油量・切替弁状態の各特性を示すタイムチャートである。以下、図８Ａ,図８Ｂに基づき、実施例１の冷却/潤滑→油圧供給切り替え作用を説明する。
【００８７】
ブレーキを踏み込んで減速する際、モータ/ジェネレータMGにより回生しているときに、第２クラッチCL2の温度が冷却閾値より高くて冷却要求が発生していると共に、機械式オイルポンプO/Pからの吐出油量が十分あり、油圧供給要求が生じていない場合を考える。
このような場合では、冷却フラグはONになり、油圧供給フラグがOFFになる。このため、電動オイルポンプM/O/Pが作動されると共に、切替弁１０６により電動オイルポンプ吐出油路１０５が冷却系油路１０４に接続されて、電動オイルポンプM/O/Pから変速機構の冷却/潤滑系Lubへ直接油圧供給が行われる。なお、このときの電動オイルポンプ吐出油量は、冷却に必要な油量に応じて制御される。一方、変速機構用油圧系Supへの油圧供給は、機械式オイルポンプO/Pの吐出油量のみによって賄われる。
【００８８】
このような状態のとき、第２クラッチCL2の温度が低下し、図８Ａ,図８Ｂに示す時刻t１１において、第２クラッチ温度が冷却閾値を下回ったら、電動オイルポンプM/O/Pを用いて変速機構の冷却/潤滑系Lubに積極的に油圧供給を行う必要はないとして、冷却フラグがOFFになる。これにより、図５に示すフローチャートにおいてステップＳ11→ステップＳ12→ステップＳ13→ステップＳ14へと進み、電動オイルポンプM/O/Pから吐出される作動油の流量を低下させた後、電動オイルポンプM/O/Pから変速機構用油圧系Supへ油圧供給をさせる油圧供給要求が発生したか否かが判断される。
【００８９】
この時刻t１１時点では、機械式オイルポンプO/Pの回転数が比較的高く、この機械式オイルポンプO/Pの吐出油量のみによってライン圧PLを確保できるとして、油圧供給要求は発生していない。そのため、ステップＳ14→ステップＳ19へと進んで、電動オイルポンプM/O/Pが停止したか否かが判断される。そして、時刻t１１時点では、電動オイルポンプM/O/Pは作動しているので、ステップＳ13へと戻り、電動オイルポンプM/O/Pの吐出油量を低下させつつ、変速機構の冷却/潤滑系Lubへの油圧供給が継続される。
【００９０】
そして、時刻t１２時点において、機械式オイルポンプO/Pの吐出油量のみによって賄っていた変速機構用油圧系Supへの供給油量が油圧供給要求油量を下回ったら、つまり、電動オイルポンプM/O/Pから変速機構用油圧系Supに対して油圧供給を行わせる油圧供給要求が発生したら、油圧供給フラグがONになる。これにより、ステップＳ14→ステップＳ15へと進み、電動オイルポンプM/O/Pの吐出油量が所定の第２閾値を下回ったか否かが判断される。
この時刻t１２時点では、電動オイルポンプM/O/Pの吐出油量が第２閾値を上回っているので、電動オイルポンプ吐出油量の低下を継続しつつ、変速機構の冷却/潤滑系Lubへの油圧供給が継続される。
【００９１】
時刻t１３時点において、電動オイルポンプM/O/Pから吐出される作動油の流量が第２閾値に達したら、ステップＳ15→ステップＳ16へと進み、切替弁１０６を油圧供給側に切替制御して、電動オイルポンプ吐出油路１０５を第２油圧供給油路１０３に接続する。
これにより、電動オイルポンプM/O/Pから吐出された作動油は、第２油圧供給油路１０３を流れてライン圧制御弁１０１に供給され、このライン圧制御弁１０１を介して変速機構用油圧系Supに供給される油量が増加し、ライン圧PLを確保することができる。
【００９２】
また、ライン圧制御弁１０１を介して変速機構用油圧系Supに供給される作動油の流量は、切替弁１０６が切り替わったことで、機械式オイルポンプO/Pの吐出油量のみであったものが、機械式オイルポンプO/Pの吐出油量と、電動オイルポンプM/O/Pの吐出油量の合計油量になる。
このとき、切替弁１０６の切り替え前に、予め電動オイルポンプM/O/Pの吐出油量を第２閾値まで低下させているので、切替弁１０６の切り替えに伴ってライン圧制御弁１０１に供給されている作動油が増加しても、このときの油量変化速度を所定値α以下に抑制することができる。そのため、ライン圧制御弁１０１におけるオリフィス１０１ｈのフィードバック遅れが発生せず、ライン圧制御弁１０１での適正な調圧を可能にすることができる。これにより、無段変速機CVTのレシオが変動してショックを発生するライン圧PLのオーバーシュートを防止することができる。
【００９３】
その後、ステップＳ17へと進んで電動オイルポンプM/O/Pの吐出油量を増加し、時刻t１４時点において、この電動オイルポンプ吐出油量が油圧供給必要油量に達したら、ステップＳ18→エンドへ進み、電動オイルポンプM/O/Pの吐出油量を、ライン圧PLを確保するために必要な量に維持すると共に、冷却/潤滑→油圧供給切り替え処理を終了する。
【００９４】
このように、第２クラッチ温度が所定の冷却閾値を下回っているときに、機械式オイルポンプO/Pでの吐出油量が油圧供給要求油量を下回ることで油圧供給要求が発生したときには、電動オイルポンプM/O/Pの吐出油量をライン圧制御弁１０１で調圧可能な調圧可能油量である第２閾値に至るまで低下させてから、切替弁１０６を油圧供給側に切り替える。
つまり、切替弁１０６によって、電動オイルポンプ吐出油路１０５の接続先を第２油圧供給油路１０３に切り替える切替制御を行うときは、電動オイルポンプ吐出油量を第２閾値以下になるまで低下させる。
【００９５】
これにより、切替弁１０６が冷却側に切り替わった際にライン圧制御弁１０１に供給されている作動油の流量が増加しても、このときのライン圧制御弁１０１への供給油量変化速度を、ライン圧制御弁１０１での調圧が可能な所定値α以下に抑制することができ、無段変速機CVTのレシオが変動してしまうライン圧PLのオーバーシュートを防止して、ショックの発生を抑制することができる。
【００９６】
また、この実施例１では、図５の示すフローチャートに示すように、第２クラッチ温度が冷却閾値を上回っている間は、油圧供給要求の発生有無を判断しない。つまり、切替弁１０６を冷却側から油圧供給側に切り替えるためには、第２クラッチCL2が冷却閾値以下の温度になっている必要がある。そのため、油圧供給要求が生じ、且つ、冷却要求が発生しないときに、電動オイルポンプ吐出油路１０５を第２油圧供給油路１０３に接続する。
これにより、変速機構用油圧系Supへの油圧供給よりも、変速機構の冷却/潤滑系Lubへ油圧供給の方を確実に優先することができ、第２クラッチCL2が高温になって破損することを防止できる。
【００９７】
なお、第２クラッチ温度が冷却閾値以下であって、さらに油圧供給要求が発生しない場合では、図５に示すフローチャートにおいて、ステップＳ11→ステップＳ12→ステップＳ13→ステップＳ14→ステップＳ19へと進み、電動オイルポンプM/O/Pが停止される。
これにより、不要なサブモータS/Mの駆動が抑制され、電力消費の悪化を防止することができる。
【００９８】
次に、効果を説明する。
実施例１の車両用油圧制御装置にあっては、下記に列挙する効果を得ることができる。
【００９９】
(1) 走行駆動源（モータ/ジェネレータMG）によって作動される機械式オイルポンプO/Pと、
前記走行駆動源（モータ/ジェネレータMG）とは別の電動モータ（サブモータS/M）によって作動される電動オイルポンプM/O/Pと、
変速機構用油圧系Supへ供給するライン圧PLを調圧するライン圧制御弁１０１と、
前記機械式オイルポンプO/Pから吐出された作動油を、前記ライン圧制御弁１０１の入力ポート１０１ａへ供給する第１油圧供給油路１０２と、
前記電動オイルポンプM/O/Pから吐出された作動油を、前記ライン圧制御弁１０１の入力ポート１０１ａへ供給する第２油圧供給油路１０３と、
前記電動オイルポンプM/O/Pから吐出された作動油を、変速機構の冷却/潤滑系Lubへ供給する冷却系油路１０４と、
前記電動オイルポンプM/O/Pの吐出油路（電動オイルポンプ吐出油路１０５）に設けられ、該吐出油路（電動オイルポンプ吐出油路１０５）を、前記第２油圧供給油路１０３と前記冷却系油路１０４とのいずれか一方に接続する切替弁１０６と、
を備える構成とした。
これにより、機械式オイルポンプ停止時の変速機構への油圧供給と変速機構の冷却機能の両立を図りつつ、車載性の向上やコスト低減を図ることができる。
【０１００】
(2) 前記機械式オイルポンプO/Pの吐出油量と、前記電動オイルポンプM/O/Pの吐出油量と、前記切替弁１０６と、を制御する回路制御手段（統合コントローラ１０）を備え、
前記回路制御手段（統合コントローラ１０）は、前記切替弁１０６によって、前記吐出油路（電動オイルポンプ吐出油路１０５）の接続先を前記第２油圧供給油路１０３から前記冷却系油路１０４に切り替えるとき、前記機械式オイルポンプO/Pの吐出油量と前記電動オイルポンプM/O/Pの吐出油量との合計油量により、前記変速機構用油圧系Supでの必要油量（=油圧供給必要油量）を確保すると共に、前記電動オイルポンプM/O/Pの吐出油量を前記ライン圧制御弁１０１で調圧可能な調圧可能油量（第１閾値）以下に低下する構成とした。
これにより、(1)の効果に加え、油圧供給→冷却/潤滑切り替え時に、無段変速機CVTの破損につながるライン圧 PLのアンダーシュートを防止することができる。
【０１０１】
(3) 前記走行駆動源（モータ/ジェネレータMG）と駆動輪（左右駆動輪LT,RT）の間に、スリップ締結可能な摩擦締結要素（第２クラッチCL2）を配置し、
前記回路制御手段（統合コントローラ１０）は、前記吐出油路（電動オイルポンプ吐出油路１０５）の接続先を切り替える際、前記合計油量により前記変速機構用油圧系Supでの必要油量を確保している間、前記摩擦締結要素（第２クラッチCL2）をスリップ締結する構成とした。
これにより、(2)の効果に加え、機械式オイルポンプO/Pの吐出油量と電動オイルポンプM/O/Pの吐出油量との合計油量によって油圧供給必要油量を確保しつつ、電動オイルポンプ吐出油量を低下させるときに、ドライバーにショックや違和感を感じさせることを防止できる。
【０１０２】
(4) 前記機械式オイルポンプO/Pの吐出油量と、前記電動オイルポンプM/O/Pの吐出油量と、前記切替弁１０６と、を制御する回路制御手段（統合コントローラ１０）を備え、
前記回路制御手段（統合コントローラ１０）は、前記切替弁１０６によって、前記吐出油路（電動オイルポンプ吐出油路１０５）の接続先を前記冷却系油路１０４から前記第２油圧供給油路１０３に切り替えるとき、前記電動オイルポンプM/O/Pの吐出油量を、前記ライン圧制御弁１０１で調圧可能な調圧可能油量（第２閾値）以下に低下する構成とした。
これにより、(1)から(3)のいずれかの効果に加え、冷却/潤滑→油圧供給切り替え時に、無段変速機CVTのレシオが変動してしまうライン圧PLのオーバーシュートを防止することができる。
【０１０３】
(5) 前記機械式オイルポンプO/Pの吐出油量と、前記電動オイルポンプM/O/Pの吐出油量と、前記切替弁１０６と、を制御する回路制御手段（統合コントローラ１０）を備え、
前記回路制御手段（統合コントローラ１０）は、前記電動オイルポンプM/O/Pから前記変速機構の冷却/潤滑系Lubに油圧供給をさせる冷却要求が生じた場合、前記切替弁１０６によって前記吐出油路（電動オイルポンプ吐出油路１０５）を前記冷却系油路１０４に接続する構成とした。
これにより、(1)から(4)のいずれかの効果に加え、変速機構用油圧系Supへの油圧供給よりも、変速機構の冷却/潤滑系Lubへ油圧供給の方を優先させることができ、熱による変速機構の不具合の発生を防止することができる。
【０１０４】
(6) 前記回路制御手段（統合コントローラ１０）は、前記電動オイルポンプM/O/Pから前記変速機構用油圧系Supへ油圧供給をさせる油圧供給要求が生じ、且つ、前記冷却要求が発生していない場合、前記切替弁１０６によって前記吐出回路（電動オイルポンプ吐出油路１０５）を前記第２油圧供給油路１０３に接続する構成とした。
これにより、(5)の効果に加え、変速機構用油圧系Supへの油圧供給よりも、変速機構の冷却/潤滑系Lubへ油圧供給の方を確実に優先させることができ、熱による変速機構の不具合の発生を防止することができる。
【０１０５】
以上、本発明の車両用油圧制御装置を実施例１に基づき説明してきたが、具体的な構成については、この実施例１に限られるものではなく、請求の範囲の各請求項に係る発明の要旨を逸脱しない限り、設計の変更や追加等は許容される。
【０１０６】
実施例１では、本発明の車両用油圧制御装置をエンジンEngとモータ/ジェネレータMGを有するハイブリッド車両に適用する例を示したが、これに限らない。モータ/ジェネレータMGのみを搭載した電気自動車や、アイドルストップするエンジンEngのみを搭載したエンジン車、さらにプラグインハイブリッド車や燃料電池車等であっても適用することができる。
【０１０７】
また、実施例１では、走行駆動源をモータ/ジェネレータMGとし、走行駆動源と駆動輪の間に配置した摩擦締結要素を第２クラッチCL2とする例を示したが、これに限らない。例えば、機械式オイルポンプを作動させる走行駆動源をエンジンEngとし、走行駆動源と駆動輪の間に配置した摩擦締結要素を第１クラッチCL1としてもよい。
【０１０８】
さらに、実施例１では、変速機構用油圧系Supを、無段変速機CVTのプライマリプーリPri、セカンダリプーリSec、第２クラッチCL2に対し、ライン圧PLを元圧とした制御油圧を供給する回路とする例を示したが、例えば、第１クラッチCL1に対して制御油圧を供給する回路を含んでいてもよい。つまり、「変速機構用油圧系」は、変速機に設けられたコントロールバルブユニットを介しての油圧供給が行われる回路である。
また、変速機構としては、無段変速機CVTに限らず、有段の自動変速機を含むものであってもよい。
【関連出願の相互参照】
【０１０９】
本出願は、２０１４年９月１７日に日本国特許庁に出願された特願２０１４-１８９１５８に基づいて優先権を主張し、その全ての開示は完全に本明細書で参照により組み込まれる。
【図１】
2016043071.tif 000003
【図２】
2016043071.tif 000004
【図３】
2016043071.tif 000005
【図４Ａ】
2016043071.tif 000006
【図４Ｂ】
2016043071.tif 000007
【図５】
2016043071.tif 000008
【図６Ａ】
2016043071.tif 000009
【図６Ｂ】
2016043071.tif 000010
【図７Ａ】
2016043071.tif 000011
【図７Ｂ】
2016043071.tif 000012
【図８Ａ】
2016043071.tif 000013
【図８Ｂ】
2016043071.tif 000014
【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
走行駆動源によって作動される機械式オイルポンプと、
前記走行駆動源とは別の電動モータによって作動される電動オイルポンプと、
変速機構用油圧系へ供給するライン圧を調圧するライン圧制御弁と、
前記機械式オイルポンプから吐出された作動油を、前記ライン圧制御弁の入力ポートへ供給する第１油圧供給油路と、
前記電動オイルポンプから吐出された作動油を、前記ライン圧制御弁の入力ポートへ供給する第２油圧供給油路と、
前記電動オイルポンプから吐出された作動油を、変速機構の冷却／潤滑系へ供給する冷却系油路と、
前記電動オイルポンプの吐出油路に設けられ、該吐出油路を、前記第２油圧供給油路と前記冷却系油路とのいずれか一方に接続する切替弁と、
前記機械式オイルポンプの吐出油量と、前記電動オイルポンプの吐出油量と、前記切替弁と、を制御する回路制御手段と、を備え、
前記回路制御手段は、前記切替弁によって、前記吐出油路の接続先を前記第２油圧供給油路から前記冷却系油路に切り替える前、及び、前記吐出油路の接続先を前記冷却系油路から前記第２油圧供給油路に切り替える前に、前記電動オイルポンプの吐出油量を予め低下させる
ことを特徴とする車両用油圧制御装置。
【請求項２】
請求項１に記載された車両用油圧制御装置において、
前記回路制御手段は、前記切替弁によって、前記吐出油路の接続先を前記第２油圧供給油路から前記冷却系油路に切り替えるとき、前記機械式オイルポンプの吐出油量と前記電動オイルポンプの吐出油量との合計油量により、前記変速機構用油圧系での必要油量を確保すると共に、前記電動オイルポンプの吐出油量を、前記ライン圧制御弁で調圧可能な調圧可能油量以下に低下する
ことを特徴とする車両用油圧制御装置。
【請求項３】
請求項２に記載された車両用油圧制御装置において、
前記走行駆動源と駆動輪との間に、スリップ締結可能な摩擦締結要素を配置し、
前記回路制御手段は、前記吐出油路の接続先を切り替える際、前記合計油量により前記変速機構用油圧系での必要油量を確保している間、前記摩擦締結要素をスリップ締結する
ことを特徴とする車両用油圧制御装置。
【請求項４】
請求項１から請求項３のいずれか一項に記載された車両用油圧制御装置において、
前記回路制御手段は、前記切替弁によって、前記吐出油路の接続先を前記冷却系油路から前記第２油圧供給油路に切り替えるとき、前記電動オイルポンプの吐出油量を、前記ライン圧制御弁で調圧可能な調圧可能油量以下に低下する
ことを特徴とする車両用油圧制御装置。
【請求項５】
請求項１から請求項４のいずれか一項に記載された車両用油圧制御装置において、
前記回路制御手段は、前記電動オイルポンプから前記変速機構の冷却／潤滑系に油圧供給をさせる冷却要求が生じた場合、前記切替弁によって前記吐出油路を前記冷却系油路に接続する
ことを特徴とする車両用油圧制御装置。
【請求項６】
請求項５に記載された車両用油圧制御装置において、
前記回路制御手段は、前記電動オイルポンプから前記変速機構用油圧系へ油圧供給をさせる油圧供給要求が生じ、且つ、前記冷却要求が発生していない場合、前記切替弁によって前記吐出回路を前記第２油圧供給油路に接続する
ことを特徴とする車両用油圧制御装置。
【国際調査報告】
2016043071.tif 000015
2016043071.tif 000016
2016043071.tif 000017
2016043071.tif 000018